(57)【要約】【課題】ＩＣカードの着脱に於いて、防塵用の蓋を開ける必要が無く、携帯時には防塵性能を持ち、ＩＣカードの差込が不十分な場合は収納状態では不安定な接続を解消する。【解決手段】スライドする２つの筐体１２，１４において、収納状態では隠れ、伸長状態では現れる開口部３６にＩＣカード３４を挿入し、ＩＣカード３４が不安定な接続状態では収納状態にスライドするときに蓋部３７に形成されたフラット部３２がＩＣカードを押し込む構造を有している。カメラやＧＰＳを搭載する異形状ＩＣカードを装着する場合は、蓋部３７が干渉しないように、その一部が待避するようにしてもよい。【選択図】図３
2008219948.tif 000002
【特許請求の範囲】
【請求項１】
所定面を有する第１筐体と、
前記第１筐体の前記所定面を覆う位置と、前記第１筐体の前記所定面を露出させる位置と、を移動可能に設けられる第２筐体と、
を備える携帯端末において、
前記第１又は第２筐体のうち少なくとも一方は開口部を備え、
前記開口部は、外部装置を挿入するためのものであるとともに、前記第２筐体が前記覆う位置にある場合に、前記第１又は第２筐体のうち他方により塞がれるよう設けられ、
前記第１又は第２筐体のうち前記他方は、可動蓋部を備え、
前記可動蓋部は、少なくとも前記第２筐体が前記覆う位置にある場合において前記開口部を塞ぐ第１の位置と前記開口部を露出させる第２の位置とを移動可能に設けられ、前記開口部に前記外部装置が挿入されている場合に、該外部装置に当接する
ことを特徴とする携帯端末。
【請求項２】
請求項１に記載の携帯端末において、
前記可動蓋部は、前記開口部に前記外部装置が挿入されている場合に、該外部装置に当接、かつ前記第２の位置側に移動する、
ことを特徴とする携帯端末。
【請求項３】
請求項１又は２に記載の携帯端末において、
前記可動蓋部は、前記第１の位置側に付勢されて設けられる
ことを特徴とする携帯端末。
【発明の詳細な説明】
【技術分野】
【０００１】
本発明は携帯端末に関し、特に第１筐体と、該第１筐体に対して移動可能に設けられた第２筐体と、を備えた携帯端末に関する。
【背景技術】
【０００２】
ヨーロッパなどでは、一般にＳＩＭ（Subscriber Identity Module）カードと呼ばれるＩＣカードが携帯電話機に装着されるようになっており、携帯電話機側には、このカードを接続する電気接点が設けられている。この電気接点は防塵されることが好ましく、このため従来の携帯電話機の中には、裏面等に着脱可能に設けられた電池の下にカードを配置する凹部が形成されたものがある。
【０００３】
また、モバイル機器に於いても、各種メモリカードを着脱可能とした製品が増えているが、携帯電話機の場合と同様、モバイル機器側に設けられた電気接点は防塵されることが好ましい。このため、従来のモバイル機器の中には、メモリカード挿入口に別体の蓋が設けられたものがある。
【特許文献１】特開平４−１５５４８５号公報
【発明の開示】
【発明が解決しようとする課題】
【０００４】
しかしながら、カードを着脱するために電池を取り外さなければならないのは煩雑であり、また、メモリカード挿入口の蓋は一般的に小さく、それ故に強度を十分に確保することが困難であって、蓋の開閉をユーザが直接触れて行う構成とすると破損確率が高まる。
【０００５】
本発明は上記課題に鑑みてなされたものであって、各種カード等の外部装置を接続するための開口部について、その簡便な使用及び破損防止を図りつつ、ゴミや埃の進入を防止することができる携帯端末を提供することにある。
【課題を解決するための手段】
【０００６】
上記課題を解決するために、本発明に係る携帯端末は、所定面を有する第１筐体と、前記第１筐体の前記所定面を覆う位置と、前記第１筐体の前記所定面を露出させる位置と、を移動可能に設けられる第２筐体と、を備える携帯端末において、前記第１又は第２筐体のうち少なくとも一方は開口部を備え、前記開口部は、外部装置を挿入するためのものであるとともに、前記第２筐体が前記覆う位置にある場合に、前記第１又は第２筐体のうち他方により塞がれるよう設けられ、前記第１又は第２筐体のうち前記他方は、可動蓋部を備え、前記可動蓋部は、少なくとも前記第２筐体が前記覆う位置にある場合において前記開口部を塞ぐ第１の位置と前記開口部を露出させる第２の位置とを移動可能に設けられ、前記開口部に前記外部装置が挿入されている場合に、該外部装置に当接することを特徴とする。
【０００７】
本発明では、第２筐体を移動させて収納位置とすることにより、第１又は第２筐体に設けられた開口部を塞ぐことができる。こうして、開口部にゴミや埃が進入することを防止することができる。また、筐体（第２筐体）を移動させるだけで開口部を塞いだり露出させたりできるので、簡単に開口部を利用することができ、また、小さな蓋にユーザが直接触れる必要も無くなるので、破損を防止することができる。開口部に収まらない大きさの外部装置を挿入しても、第２筐体を収納位置とすることができるようになる。なお、第２筐体の移動態様は、スライド移動であってもよいし、回転移動等、他の態様であってもよい。
【０００８】
本発明においては、前記可動蓋部は、前記開口部に前記外部装置が挿入されている場合に、該外部装置に当接、かつ前記第２の位置側に移動してよい。また、前記可動蓋部は、前記第１の位置側に付勢されて設けられてもよい。こうすれば、開口部に収まらない大きさの外部装置が挿入されていない限り、可動蓋部が開口部を塞ぐようになり、確実に防塵を図ることができる。
【発明を実施するための最良の形態】
【０００９】
以下、本発明の実施形態について図面に基づき詳細に説明する。
【００１０】
［実施形態１]
図１は、本発明の実施形態１に係る直線スライド式携帯端末の収納状態を示す正面斜視図であり、図２は、その伸長状態を示す正面斜視図であり、図３は、その伸長状態を示す背面斜視図である。また、図４は、同直線スライド式携帯端末にＩＣカードを装着する部分を示す側面図である。
【００１１】
これらの図に示す直線スライド式携帯端末１０は、移動電話機能を備えるとともに、各種データ処理機能を有するものであり、第１筐体１４及び第２筐体１２を備え、第２筐体１２は第１筐体１４に対して直線的にスライド移動可能となっている。
【００１２】
すなわち、第２筐体１２の裏面には、図３に示されるように、互いに平行する一対のガイド溝３０が形成されており、一方、第１筐体１４には、操作面１６側に、これらガイド溝３０に係合する一対の鉤状突起部（図示せず）が形成されている。さらに、第２筐体１２の裏面及び第１筐体の表面、すなわち操作面１６は、いずれも平面とされており、また、ガイド溝３０は直線状に形成されている。このため、第２筐体１２は、両ガイド溝３０が各鉤状突起部に係合した状態を維持しつつ、第１筐体１４に対して直線的にスライド移動するようになっている。こうして、第２筐体１２は、第１筐体１４の操作面１６をその裏面で覆う収納位置と、第１筐体１４の操作面１６を露出させる伸長位置と、をスライド移動するようになっている。以下では、第２筐体１２が収納位置にある状態を収納状態、伸長状態にある状態を伸長状態と呼ぶ。
【００１３】
各ガイド溝３０の底部には図示しない線状の電極が設けられており、一方、第１筐体１４に設けられた鉤状突起部の頂部にも図示しない電極が設けられている。直線スライド式携帯端末１０では、これらの電極の接触が維持されることにより、スライド位置に依らず、第１筐体１４と第２筐体１２との間で電力及びデータの授受が確実に行われるようになっている。
【００１４】
また、図１に示されるように、第２筐体１２には、その表面に受話スピーカ２０、表示部２２、副操作部２４が設けられ、表面縁部に着信用ＬＥＤ１８が設けられている。また、図２に示されるように、第１筐体１４には、操作面１６に主操作部２８が設けられ、側面にマイク部２６が設けられている。
【００１５】
主操作部２８は、電話番号その他の各種データをユーザが入力したり、各種操作指示を行ったりするため、複数の操作部材を含んでいる。すなわち、この主操作部２８には、少なくとも電話番号や文章入力に必要な１０キー、着信ボタン、機能選択キー（ファンクションキー）などの各種ボタン及び操作キーを含んでいる。
【００１６】
副操作部２４は、主に収納状態で必要とされる各種操作部材を含んでいる。例えば、収納状態でも電話の着信を受けたい場合は、着信ボタンを副操作部２４に含まれる操作部材に割り付ければよい。この割り付けは固定的なものであってもよいし、ユーザが任意に割り付けることができるようにしてもよい。
【００１７】
表示部２２は、ＬＣＤ（Liquid Crystal Display）からなり、電話番号の表示やメニュー画面などの表示を行う。着信用ＬＥＤ１８は、着信があった時に点灯／点滅することでユーザに着信を報知するものである。この着信用ＬＥＤ１８は、着信時にユーザが確実に気付くよう表面縁部に設けられている。また、マイク部２６は、通話時にユーザの発声を拾うものであり、受話スピーカ２０は、通話時に通話相手の発声を出力するものである。受話スピーカ２０は、アラームの出力など、他の音声の出力に用いられてもよい。
【００１８】
なお、以上説明した要素は、第１筐体１４又は第２筐体１２に内蔵されるＣＰＵにより制御される。
【００１９】
なお、直線スライド式携帯端末１０は、収納状態ではＰＤＡ（Personal Digital Assistants）として使用され、伸長状態では携帯電話として使用されてもよい。この場合、ＰＤＡとしての使い勝手を向上させるため、表示部２２にタッチパネルを備え、タッチ入力や手書き文字入力等を可能とすることが望ましい。
【００２０】
さらに、直線スライド式携帯端末１０で、図３に示されるように、第１筐体１４にＩＣカード３４を挿入するための開口部３６が形成されている。すなわち、第１筐体１４は薄型の箱状に形成されており、第２筐体１２の伸長方向にある側面に開口部３６が形成されている。そして、伸長状態においては、開口部３６が露出され、そこにＩＣカード３４を挿入することができるようになっている。
【００２１】
第２筐体１２もまた、第１筐体１４と略同一大の薄型箱状に形成されており、その伸長方向の縁部に蓋部３７が形成されている。この蓋部３７は、第２筐体１２の縁部から第１筐体１４の側に立ち上がり形成されてなり、収納位置において、第１筐体１４における開口部３６が形成された側面を覆うようになっている。こうして、収納状態において、開口部３６が蓋部３７により塞がれ、該開口部３６に塵や埃が進入することを防止できるようになっている。
【００２２】
なお、開口部３６の縁部に開口を覆う小型の可動蓋を取り付け、該可動蓋を、開口を覆う方向にバネ等により付勢するとともに、ＩＣカード３４が挿入される場合に、該可動蓋が開口部３６の内部に入り込むようにしてもよい。こうすれば、防塵性をさらに高めることができる。
【００２３】
また、蓋部３７には、その内側、すなわち収納位置において開口部３６に対向する面にフラット部３２が形成されている。このフラット部３２は、開口部３６の開口方向に対して垂直に形成されており、十分な強度をもって第２筐体１２に設けられている。そして、開口部３６に対してＩＣカード３４が十分に差し込まれていない状態で、第２筐体１２を収納位置に向けてスライド移動させると、フラット部３２がＩＣカード３４の端面に当接し、そのままＩＣカード３４を開口部３６の奥部に押し入れることができるようになっている。こうして、開口部３６の奥部に設けられた電気接点（コネクタ）とＩＣカード３４との電気的接続を確実に行うことができるようになっている。
【００２４】
以上説明した直線スライド式携帯端末１０によれば、第１筐体１４を片手で支えて、第２筐体１２をスライド移動させることにより、収納状態において開口部３６を第２筐体１２に形成された蓋部３７により塞ぐことができる。このため、従来技術のように電池を取り外すといった煩雑な作業を要することなく、ＩＣカード３４を容易に着脱することができる。また、ユーザが頻繁に直接触れる小型の蓋を開口部３６に設けずに済み、破損防止を図ることができる。さらに、蓋部３７にフラット部３２を設けるようにしたので、第２筐体１２のスライド移動によりＩＣカード３４を確実に開口部３６の奥部に押し入れることができる。
【００２５】
［実施形態２]
図５は、本発明の実施形態２に係る直線スライド式携帯端末の伸長状態を示す背面斜視図であり、図６は、同直線スライド式携帯端末にＩＣカードを装着し、第２筐体を収納位置とした状態を、内部機構を省略して示す一部断面図である。また、図７は、同直線スライド式携帯端末に異形状ＩＣカードを装着し、第２筐体を収納位置とした状態を、内部機構を省略して示す一部断面図である。
【００２６】
これらの図に示されるように、この直線スライド式携帯端末１１は、実施形態１に係る直線スライド式携帯端末１０に比し、特に、蓋部３７の一部に開口１５が形成され、該開口１５から可動蓋３８が露出するようにされた点が異なる。他の構成については、直線スライド式携帯端末１０と同様であり、ここでは図中に同一符号を付し、その説明を省略する。
【００２７】
可動蓋３８は、樹脂や金属板等の弾性を有する材料によって、蓋部３７とは別体に形成されており、第２筐体１２の内部に配置されている。可動蓋３８の一端は、リベット４２により第２筐体の内面に固定されており、他端にはストッパ部１７が形成されている。そして、自らの弾性力により、可動蓋３８の一部に形成された凸部を開口１５から露出させるよう付勢し、その際、ストッパ部１７が第２筐体１２の内面に当接して、それ以上の露出を規制するようになっている。また、第２筐体１２の内部には退避空間１３が形成されており、開口１５から露出した可動蓋３８の凸部を該開口１５の奥方向に押し込むと、該凸部が退避空間１３に移動するようになっている。
【００２８】
この直線スライド式携帯端末１１では、開口部３６に外部装置が挿入されていない場合、或いは開口部３６に十分に収まる大きさのＩＣカード３４が挿入されている場合、第２筐体１２を収納位置とすることで、図６に示されるように、可動蓋３８、特にその凸部が開口部３６を塞ぐようになっている。また、開口部３６に十分に収まらない大きさの異形状ＩＣカード４０が挿入されている場合、第２筐体１２を収納位置とすることで、図７に示されるように、可動蓋３８、特にその凸部が異形状ＩＣカード４０に当接し、第２筐体１２の内部に形成された退避空間１３に移動するようになっている。この結果、異形状ＩＣカード４０を開口部３６に挿入した場合であっても、第２筐体１２を収納位置に移動させることができる。
【００２９】
なお、異形状ＩＣカード４０とは、カメラユニットやＧＰＳ（Global Positioning System）ユニット等であり、このようなカードは、開口部３６に入る部分はＩＣカード３４と同じ形状を持ちながら、開口部３６に収まらず、第１筐体１４から突出する部分に、レンズやＧＰＳアンテナが取り付けられている。したがって、これらのカードを直線スライド式携帯端末に装着する場合には、図５乃至図７に示す構造により、異形状ＩＣカード４０の突起部分（特殊機能部分）を第２筐体１２が待避する構造が必要になる。
【００３０】
本実施形態２に係る直線スライド式形態端末１１によれば、こうした異形状ＩＣカード４０カードを開口部３６に装着した場合であっても、その突起部分を回避するよう可動蓋３８が移動し、第２筐体１２を確実に収納位置とすることができる。また、異形状ＩＣカード４０が装着されていない場合には、収納状態において、露出方向に付勢された可動蓋３８が開口部３６を塞ぎ、塵や埃の進入を防止することができる。
【００３１】
なお、可動壁３８は以上の形態に限らず他の形態であってもよい。例えば、樹脂等により、蓋部３７の他の部分と略同形状に形成された蓋部材の一部を第２筐体１２に回動自在に取り付け、該蓋部材が開口部３６を覆う方向にスプリングバネ等により付勢してもよい。
【００３２】
［実施形態３]
以上の説明では、本発明を、第１筐体１４に対して第２筐体１２が直線的に、すなわち直線軌道によりスライド移動する、直線スライド式携帯端末に適用する例を取り上げたが、第１筐体１４に対して第２筐体１２が円弧軌道によりスライド移動する、円弧スライド式携帯端末にも本発明は適用可能である。
【００３３】
図８は、本発明の実施形態３に係る円弧スライド式携帯端末の収納状態を示す正面斜視図である。また、図９は、同円弧スライド式携帯端末の伸長状態を示す正面斜視図であり、図１０は、同円弧スライド式携帯端末の伸長状態を示す背面斜視図である。また、図１１は、同円弧スライド式携帯端末のＩＣカード装着部分を示す一部断面図である。
【００３４】
これらの図に示す円弧スライド式携帯端末２１は、実施形態１に係る直線スライド式携帯端末１０に比し、特に第１筐体５４の操作面５０が一定曲率の曲面に形成され、第２筐体５２の裏面６０も、操作面５０と同じ一定曲率の曲面に形成されている点、及び第２筐体５２の裏面６０にＩＣカード３４を挿入するための開口部５６が設けられている点が異なる。他の構成については、直線スライド式携帯端末１０と同様であり、ここでは図中に同一符号を付し、その説明を省略する。
【００３５】
本実施形態３に係る円弧スライド式携帯端末２１では、第２筐体５２が第１筐体５４に対して円弧軌道を描いてスライド移動する。また、第２筐体５２の裏面６０に開口部５６が設けられ、この開口部５６にＩＣカード３４が挿入される。そして、第２筐体５２を収納位置に移動させると、第１筐体５４により開口部５６が塞がれる。すなわち、第１筐体５４の操作面５０が開口部５６の蓋部として機能するようになっている。こうしても、開口部５６に塵や埃が進入することを好適に防止することができる。
【００３６】
また、円弧スライド式携帯端末２１では、第１筐体５４の操作面５０におけるスライド方向の縁部に、図１１に示すように収納状態において第２筐体５２の裏面６０から後退したテーパ部５８が形成されている。このテーパ部５８は、第１筐体５４の縁に近づくにつれて後退量が大きくなるよう形成されている。このテーパ部５８によれば、ＩＣカード３４が不完全に開口部５６に挿入され、それ故に一部が開口部５６から若干はみ出している場合に、その部分にテーパ部５８が当接し、ＩＣカード３４を開口部５６の奥部に押し込むことができる。また、はみ出し量が大きい場合には、ＩＣカード３４のはみ出し部分により第２筐体５２を収納位置とすることができず、それによりユーザにＩＣカード３４の装着が不完全であることを知らせることができる。
【００３７】
なお、上記のように、スライド移動可能な第１及び第２筐体を備える携帯端末において、第１筐体の所定面により第２筐体の裏面に設けられた開口を塞ぐ構成は、両筐体が直線状にスライド移動するものにも同様に適用可能である。
【００３８】
［実施形態４]
実施形態３に係る円弧スライド式携帯端末２１についても、実施形態２の場合と同様、異形状ＩＣカード４０を開口部５６に挿入した状態で、第２筐体５２を収納位置に移動できるようにすることが好ましい。このため、図１２に示す円弧スライド式携帯端末２３のように、実施形態２の場合と同様、蓋部として機能する第１筐体５４における、スライド方向の縁部に、第１筐体５４の内部に形成された退避空間に退避する可動蓋６２を設けてもよい。こうすれば、実施形態３のように円弧スライド式を採用した場合であっても、カメラユニットやＧＰＳカードのような異形状ＩＣカード４０を装着した状態で、収納状態とすることができるようになる。
【００３９】
以上説明したように、本発明によれば、第１又は第２筐体のうち少なくとも一方は開口部を備え、開口部は、第２筐体が第１筐体の所定面を覆う収納位置にある場合に、第１又は第２筐体のうち他方により塞がれるよう設けられるので、開口部の簡便な使用及び破損防止を図りつつ、ゴミや埃の進入を防止することができるようになる。
【図面の簡単な説明】
【００４０】
【図１】本発明の実施形態１に係る直線スライド式携帯端末の収納状態を示す正面斜視図である。
【図２】本発明の実施形態１に係る直線スライド式携帯端末の伸長状態を示す正面斜視図である。
【図３】本発明の実施形態１に係る直線スライド式携帯端末の伸長状態を示す背面斜視図である。
【図４】本発明の実施形態１に係る直線スライド式携帯端末のＩＣカード装着部分を示す一部側面図である。
【図５】本発明の実施形態２に係る直線スライド式携帯端末の伸長状態を示す背面斜視図である。
【図６】本発明の実施形態２に係る直線スライド式携帯端末にＩＣカードを装着し、第２筐体を収納位置とした状態を、内部機構を省略して示す一部断面図である。
【図７】本発明の実施形態２に係る直線スライド式携帯端末に異形状ＩＣカードを装着し、第２筐体を収納位置とした状態を、内部機構を省略して示す一部断面図である。
【図８】本発明の実施形態３に係る円弧スライド式携帯端末の収納状態を示す正面斜視図である。
【図９】本発明の実施形態３に係る円弧スライド式携帯端末の伸長状態を示す正面斜視図である。
【図１０】本発明の実施形態３に係る円弧スライド式携帯端末の伸長状態を示す背面斜視図である。
【図１１】本発明の実施形態３に係る円弧スライド式携帯端末のＩＣカード装着部分を示す一部断面図である。
【図１２】本発明の実施形態４に係る円弧スライド式携帯端末の伸長状態を示す背面斜視図である。
【符号の説明】
【００４１】
１０，１１  直線スライド式携帯端末、１２，５２  第２筐体、１３  退避空間、１４，５４  第１筐体、１５  開口、１６，５０  操作面、１７  ストッパ部、１８  着信用ＬＥＤ、２０  受話スピーカ、２１，２３  円弧スライド式携帯端末、２２  表示部、２４  副操作部、２６  マイク部、２８  主操作部、３０  ガイド溝、３２  フラット部、３４  ＩＣカード、３６，５６  開口部（カード挿入部）、３７  蓋部、３８，６２  可動蓋、４０  異形状ＩＣカード、４２  リベット，５８  テーパ部、６０  裏面。
【図１】
2008219948.tif 000003
【図２】
2008219948.tif 000004
【図３】
2008219948.tif 000005
【図４】
2008219948.tif 000006
【図５】
2008219948.tif 000007
【図６】
2008219948.tif 000008
【図７】
2008219948.tif 000009
【図８】
2008219948.tif 000010
【図９】
2008219948.tif 000011
【図１０】
2008219948.tif 000012
【図１１】
2008219948.tif 000013
【図１２】
2008219948.tif 000014